(57)【要約】      （修正有）【課題】卓上用のお洒落な飾り付けとしても利用できると共に、キャンバスを自ら組み立てて楽しむことができるミニキャンバス玩具セットを提供する。【解決手段】矩形状の合成樹脂板にて形成され周囲に屈曲された側片部を有する基板１１にアート紙Ｐを着脱自在に装着するミニキャンバス体１０と、該ミニキャンバス体１０を支えるサイズに設けられた合成樹脂製のミニイーゼル体とを備え、ミニキャンバス体１０を組み立て及び展示用の玩具として構成した。ミニキャンバス体１０は、基板１１の裏面周囲に設けられた複数の固定部１２と、該固定部１２に着脱自在に装着する固定具１３とを備え、アート紙Ｐを固定具１３にて固定部１２に固定するように構成した。【選択図】図２
0003217978.tif 000002
【実用新案登録請求の範囲】
【請求項１】
矩形状の合成樹脂板にて形成され周囲に屈曲された側片部を有する基板にアート紙を着脱自在に装着するミニキャンバス体と、該ミニキャンバス体を支えるサイズに設けられた合成樹脂製のミニイーゼル体とを備え、ミニキャンバス体を組み立て及び展示用の玩具として構成したことを特徴とするミニキャンバス玩具セット。
【請求項２】
前記ミニキャンバス体は、前記基板の裏面周囲に設けられた複数の固定部と、該固定部に着脱自在に装着する固定具とを備え、前記アート紙を固定具にて固定部に固定するように構成した請求項１記載のミニキャンバス玩具セット。
【請求項３】
前記固定部は、前記基板の裏面に立設され嵌合開口部を有する筒状を成し、前記固定具は、該嵌合開口部に着脱自在に嵌合する嵌合突起を備え、前記アート紙の周囲に該嵌合突起を挿通する係止孔を形成し、該係止孔に嵌合突起を挿通すると共に、該嵌合突起を嵌合開口部に嵌合することで、前記アート紙の周囲縁を前記基板に固定するように構成した請求項２記載のミニキャンバス玩具セット。
【請求項４】
前記固定具の一側面に壁面固定用の固定突起を形成し、該固定突起に開穿した支持孔に画鋲等の止着具を挿通して前記ミニキャンバス体を壁に貼るように構成した請求項２記載のミニキャンバス玩具セット。
【考案の詳細な説明】
【技術分野】
【０００１】
本考案は、卓上に飾ることができるミニキャンバス玩具セットに係り、玩具用のキャンバス作品を展示するために、玩具用のイーゼルやキャンバスを組立てて遊ぶことができるミニキャンバス玩具セットに関する。
【背景技術】
【０００２】
従来、画家がアトリエなどで使用するイーゼルは、板に貼ったキャンバス地を載せて絵画を制作する他、完成した絵画をのせた状態で展示することなどが行われている。また、このイーゼルに絵や写真などを載せてお洒落なインテリアの一部として利用されることもある。
【０００３】
たとえば特許文献１において、卓上用のイーゼルに写真などを載置するように構成した組立式卓上イーゼルが記載されている。この組立式卓上イーゼルは、卓上用サイズのカードスタンドとして使用するものである。
【０００４】
すなわち、１枚の板状体を用いてフレーム本体と支持脚とを切り抜き形成し、支持脚の上部に穿設された透孔内に、フレーム本体の上方に延設された係合突部を嵌入係合することによって、フレーム本体をイーゼル上に支持する構成である。
【先行技術文献】
【特許文献】
【０００５】
【特許文献１】特開２００２-１７７０５８号公報
【考案の概要】
【考案が解決しようとする課題】
【０００６】
ところが、特許文献１に記載されている組立式卓上イーゼルは、ポストカードや写真を飾る写真立てなどとして、卓上に載置する構成である。そのため、本格的なイーゼルと比べると形状やデザインなどが大きく異なる構成になり、イーゼルやキャンバスが持つ本来のデザインを卓上で楽しむものではなかった。
【０００７】
そこで、本考案は上述の課題を解消すべく案出されたもので、アトリエなどで使用する本格的なキャンバスやイーゼルのデザインを卓上用のお洒落な飾り付けとして利用できると共に、キャンバスを自ら組み立てて楽しむことができるミニキャンバス玩具セットの提供を目的とするものである。
【課題を解決するための手段】
【０００８】
上述の目的を達成すべく本考案における第１の手段は、矩形状の合成樹脂板にて形成され周囲に屈曲された側片部１１Ａを有する基板１１にアート紙Ｐを着脱自在に装着するミニキャンバス体１０と、該ミニキャンバス体１０を支えるサイズに設けられた合成樹脂製のミニイーゼル体２０とを備え、ミニキャンバス体１０を組み立て及び展示用の玩具として構成したことにある。
【０００９】
第２の手段の前記ミニキャンバス体１０は、前記基板１１の裏面周囲に設けられた複数の固定部１２と、該固定部１２に着脱自在に装着する固定具１３とを備え、前記アート紙Ｐを固定具１３にて固定部１２に固定するように構成したものである。
【００１０】
第３の手段の前記固定部１２は、前記基板１１の裏面に立設され嵌合開口部１２Ａを有する筒状を成し、前記固定具１３は、該嵌合開口部１２Ａに着脱自在に嵌合する嵌合突起１３Ａを備え、前記アート紙Ｐの周囲に該嵌合突起１３Ａを挿通する係止孔Ｐ１を形成し、該係止孔Ｐ１に嵌合突起１３Ａを挿通すると共に、該嵌合突起１３Ａを嵌合開口部１２Ａに嵌合することで、前記アート紙Ｐの周囲縁を前記基板１１に固定するように構成する。
【００１１】
第４の手段は、前記固定具１３の一側面に壁面固定用の固定突起１４を形成し、該固定突起１４に開穿した支持孔１４Ａに画鋲等の止着具を挿通して前記ミニキャンバス体１０を壁に貼るように構成したものである。
【考案の効果】
【００１２】
本考案の請求項１に記載のごとく、矩形状の合成樹脂板にて形成され周囲に屈曲された側片部１１Ａを有する基板１１にアート紙Ｐを着脱自在に装着するミニキャンバス体１０と、該ミニキャンバス体１０を支えるサイズに設けられた合成樹脂製のミニイーゼル体２０とにより、アトリエなどで使用する本格的なイーゼルやキャンバスのデザインを模した卓上用のお洒落な展示用玩具として楽しむことができる。
【００１３】
しかも、ミニキャンバス体１０を組み立て用の玩具としても構成しているので、手作りの楽しみを得ることができる。
【００１４】
請求項２のように、ミニキャンバス体１０は、基板１１の裏面周囲に設けられた複数の固定部１２と、該固定部１２に着脱自在に装着する固定具１３とを備えているので、基板１１にアート紙Ｐを貼り付ける工程は、本格的な絵画を制作する際に組み立てられるキャンバスの制作方法に近い工程になっている。この結果、玩具として組立てを楽しむだけでなく、実際のキャンバスの制作工程について学ぶことも可能になる。更に、アート紙Ｐは、絵画用のキャンバス生地を模した印刷が施されているので、より本格的なキャンバスを模した玩具を提供することができる。
【００１５】
請求項３のごとく、固定部１２は、基板１１の裏面に立設され嵌合開口部１２Ａを有する筒状を成し、固定具１３は、該嵌合開口部１２Ａに着脱自在に嵌合する嵌合突起１３Ａを備え、アート紙Ｐの周囲に該嵌合突起１３Ａを挿通する係止孔Ｐ１を形成し、該係止孔Ｐ１に嵌合突起１３Ａを挿通すると共に、該嵌合突起１３Ａを嵌合開口部１２Ａに嵌合することで、アート紙Ｐの周囲縁を基板１１に固定するように構成しているので、実際のキャンバスの制作工程について学びながら、組立て作業は極めて簡略化されているので、誰でも容易にミニキャンバス体１０を組み立てることができる。
【００１６】
請求項４のように、固定具１３の一側面に壁面固定用の固定突起１４を形成し、該固定突起１４に開穿した支持孔１４Ａに画鋲等の止着具を挿通してミニキャンバス体１０を壁に貼るように構成しているので、ミニキャンバス体１０は、ミニイーゼル体２０に載置するのみならず、ミニキャンバス体１０単独で壁面等に固定して飾り付けることも可能になる。
【００１７】
このように本考案によると、アトリエなどで使用する本格的なキャンバスやイーゼルのデザインを模して卓上用のお洒落な飾り付けとしても利用できると共に、キャンバスを自ら組み立てて楽しむことができるなどといった当初の目的を達成した。
【図面の簡単な説明】
【００１８】
【図１】本考案の使用状態を示す斜視図である。
【図２】本考案のミニキャンバス体を示す分解斜視図である。
【図３】本考案のミニキャンバス体を示す背面図である。
【図４】本考案の使用状態を示す側面図である。
【図５】本考案のミニキャンバス体を壁面固定用にした背面図である。
【図６】本考案のミニキャンバス体を壁面固定用にした側断面である。
【図７】本考案のミニイーゼル体を示す斜視図である。
【図８】本考案のミニイーゼル体を示す分解斜視図である。
【考案を実施するための形態】
【００１９】
本考案は、本格的なキャンバスやイーゼルを模したミニキャンバス体１０とミニイーゼル体２０とで構成される玩具である(図１参照)。そして、ミニキャンバス体１０を組み立てて遊ぶ他、卓上や壁面等にミニキャンバス体１０を展示して楽しむ玩具として構成している。
【００２０】
ミニキャンバス体１０は、アート紙Ｐを、基板１１に着脱自在に装着するように設けている(図２参照)。このアート紙Ｐは、表面が緻密でなめらかな用紙で、ポスターやカレンダ等の印刷に使用されている。このアート紙Ｐに、絵画用のキャンバス生地を模した印刷を施すことで、より本格的なキャンバスを模すことができる。
【００２１】
図示例では、アート紙Ｐの周囲に後述する固定具１３を挿通せしめる係止孔Ｐ１を形成している(図２参照)。また、図示のアート紙Ｐは、四つ角部分をカットして基板１１に装着し易いように形成しているが、本来のキャンバス地のごとく、矩形状のアート紙Ｐを使用することも可能である。
【００２２】
このアート紙Ｐを貼り付ける基板１１は、矩形状の合成樹脂板にて形成され、周囲に屈曲された側片部１１Ａを有する(図２参照)。更に、この基板１１には、固定部１２と固定具１３とが備えられている。
【００２３】
固定部１２は、絵画を制作する実際のキャンバス地を貼り付ける板と同様に、基板１１の周囲に側片部１１Ａが形成され、この側片部１１Ａを包み込むように設けられアート紙Ｐの周囲を固定する枠状部材である(図２参照)。また、固定具１３は、この固定部１２に着脱自在に装着する固定部材で、この固定具１３でアート紙Ｐの周囲を固定部１２に着脱自在に固定するように構成している(図３参照)。
【００２４】
図示の固定具１３は、嵌合突起１３Ａを備えており、この嵌合突起１３Ａを固定部１２の枠裏側に形成された嵌合開口部１２Ａに嵌合するものである(図２参照)。そして、基板１１の表側から側片部１１Ａを包み込むように折り返したアート紙Ｐの係止孔Ｐ１に嵌合突起１３Ａを挿通し、固定部１２の嵌合開口部１２Ａに嵌合させることで、アート紙Ｐを基板１１に貼り付けた状態にするものである(図３参照)。このように構成したミニキャンバス体１０をミニイーゼル体２０に載置すると、アトリエなどで使用する本格的なキャンバスやイーゼルのデザインを模した卓上用の玩具が形成される(図４参照)。
【００２５】
更に、固定具１３の一側面に壁面固定用の固定突起１４を形成している(図５参照)。そして、この固定突起１４に開穿した支持孔１４Ａに画鋲や係止フック等の止着具３０を挿通することで、ミニキャンバス体１０を壁面等に直接固定することができるようにしている(図６参照)。また、ミニイーゼル体２０にミニキャンバス体１０を載せる際は、この固定突起１４を基板１１の内側に向けることで、固定突起１４を目立たなくすることができる(図３参照)。尚、図示の固定突起１４は、４個の固定具１３の中の１個のみに形成しているが、全ての固定具１３に形成することも可能である。また、固定突起１４の数は任意に変更することも可能である。
【００２６】
一方、ミニイーゼル体２０は、本格的なイーゼルを模してミニキャンバス体１０を支えるサイズに形成された合成樹脂製の支持用部材である。図示のミニイーゼル体２０は、載置台２１、載置用脚２２、支持用脚２３、連結杆２４、固定杆２５を備えたものである(図７参照)。
【００２７】
載置台２１は、ミニキャンバス体１０を載置する水平な部材で、載置用脚２２は、この載置台２１を支持する一切の部材である。支持用脚２３は、載置用脚２２を裏側から支える１本の支持部材であり、この支持用脚２３を載置用脚２２に揺動自在に設けている(図４参照)。
【００２８】
更に、一対の載置用脚２２を上部で連結する連結杆２４と、この連結杆に載置台２１を固定する固定杆２５とを備えている(図７参照)。そして、連結杆２４の裏側に一対の連結突起２６を突設し、この連結突起２６間に支持用脚２３の上端部に設けた連結ピン２３Ａを揺動自在に連結している(図８参照)。ミニイーゼル体２０をこのような構成にすることで、本格的なイーゼルを模した玩具を形成することができる。
【００２９】
尚、本考案において、図示の構成に限定されるものではなく、ミニキャンバス体１０の基板１１、固定部１２、固定具１３等の形状や構成や、ミニイーゼル体２０の構成は、本考案の要旨を変更しない範囲での設計変更は自由に行える。
【符号の説明】
【００３０】
Ｐ  アート紙
Ｐ１  係止孔
１０  ミニキャンバス体
１１  基板
１２  固定部
１２Ａ  嵌合開口部
１３  固定具
１３Ａ  嵌合突起
１４  固定突起
１４Ａ  支持孔
２０  ミニイーゼル体
２１  載置台
２２  載置用脚
２３  支持用脚
２３Ａ  連結ピン
２４  連結杆
２５  固定杆
２６  連結突起
【図１】
0003217978.tif 000003
【図２】
0003217978.tif 000004
【図３】
0003217978.tif 000005
【図４】
0003217978.tif 000006
【図５】
0003217978.tif 000007
【図６】
0003217978.tif 000008
【図７】
0003217978.tif 000009
【図８】
0003217978.tif 000010